(57)【要約】  音声映像（ＶＡＶ）通話の映像部分へのアクセスを提供するための方法は、第１のユーザーの装置から生じた音声映像通話を受け取ることを含む。音声映像通話は、音声部分と映像部分とを含む。音声映像通話の音声部分は、第２のユーザーの音声端末に関連するボイスメールに伝送されるのに対し、音声映像通話の映像部分は格納される。その後、音声映像通話の映像部分へのアクセスが第２のユーザーに提供される。【選択図】図１
2013539625.tif 000002
【特許請求の範囲】
【請求項１】
音声映像（ＶＡＶ）通話の映像部分へのアクセスを提供するための方法であって、
音声部分と映像部分とを含む、第１のユーザーの装置から発せられた音声映像通話を受け取ることと、
前記音声映像通話の前記音声部分を第２のユーザーの音声端末に関連する音声システムに伝送することと、
前記音声映像通話の映像部分を格納することと、
前記音声映像通話の前記映像部分へのアクセスを前記第２のユーザーに提供することを含む、方法。
【請求項２】
前記音声映像通話の前記格納済映像部分を前記第２のユーザーに関連させることをさらに含む、請求項１に記載の方法。
【請求項３】
前記音声映像通話の前記格納済映像部分を関連させることは、前記音声映像通話の前記格納済映像部分を、前記第２のユーザーの前記音声端末およびユーザー識別子に関連する電話番号に関連させることを含む、請求項２に記載の方法。
【請求項４】
前記音声映像通話の前記映像部分へのアクセスを前記第２のユーザーに提供することは、前記第２のユーザーにメッセージを送ることを含む、請求項１に記載の方法。
【請求項５】
前記メッセージが、電子メール、インスタントメッセージング（ＩＭ）、ショートメッセージサービス（ＳＭＳ）、およびマルチメディアメッセージングサービス（ＭＭＳ）のうちの少なくとも１つによって送られる、請求項４に記載の方法。
【請求項６】
前記音声映像通話の前記映像部分が、前記メッセージ内に埋め込まれる、請求項４に記載の方法。
【請求項７】
前記メッセージが、前記音声映像通話の前記映像部分にアクセスできるユニフォームリソースロケーター（ＵＲＬ）を含む、請求項４に記載の方法。
【請求項８】
前記音声映像通話の前記映像部分へのアクセスを前記第２のユーザーに提供することは、前記第２のユーザーから認証要求を受け取ることと、前記第２のユーザーを認証することと、前記第２のユーザーが認証される場合、前記音声映像通話の前記映像部分を前記第２のユーザーにストリーミングすることを含む、請求項１に記載の方法。
【請求項９】
前記認証要求が、前記第２のユーザーに関連するユーザー識別子および前記第２のユーザーに関連するパスワードを含む、請求項８に記載の方法。
【請求項１０】
前記第２のユーザーを認証することが、前記ユーザー識別子および前記パスワードを、前記第２のユーザーのユーザープロファイルに関連する情報と比較することを含む、請求項９に記載の方法。
【請求項１１】
前記第１のユーザーの前記装置にはモバイル装置が含まれる、請求項１に記載の方法。
【請求項１２】
前記第１のユーザーの前記装置にはコンピューティング装置が含まれる、請求項１に記載の方法。
【請求項１３】
前記音声映像通話の前記音声部分を格納し、前記音声映像通話の前記音声部分へのアクセスを前記第２のユーザーに提供することをさらに含む、請求項１に記載の方法。
【請求項１４】
音声映像（ＶＡＶ）通話の映像部分へのアクセスを提供するための方法であって、
第１のユーザーの装置から発せられた音声部分と映像部分とを含む音声映像通話であって、前記音声映像通話の前記音声部分は第２のユーザーの音声端末に関連する音声システムに切り離して伝送される音声映像通信を受け取ることと、
前記音声映像通話の前記映像部分を格納することと、
前記音声映像通話の前記映像部分へのアクセスを前記第２のユーザーに提供することを含む、方法。
【請求項１５】
前記音声映像通話の前記格納済映像部分を前記第２のユーザーに関連させることをさらに含む、請求項１４に記載の方法。
【請求項１６】
前記音声端末に関連する電話番号および前記第２のユーザーのユーザー識別子に関連させる前記音声映像通話の前記格納済映像部分を関連させることを含む、前記音声映像通話の前記格納済映像部分に関連させる、請求項１５に記載の方法。
【請求項１７】
前記第２のユーザーにメッセージを送ることを含む、前記音声映像通話の前記映像部分へのアクセスを前記第２のユーザーに提供する、請求項１４に記載の方法。
【請求項１８】
前記メッセージが、電子メール、インスタントメッセージング（ＩＭ）、ショートメッセージサービス（ＳＭＳ）、およびマルチメディアメッセージングサービス（ＭＭＳ）のうちの少なくとも１つによって送られる、請求項１７に記載の方法。
【請求項１９】
前記音声映像通話の前記映像部分が、前記メッセージ内に埋め込まれる、請求項１７に記載の方法。
【請求項２０】
前記メッセージが、前記音声映像通話の前記映像部分にアクセスできるユニフォームリソースロケーター（ＵＲＬ）を含む、請求項１７に記載の方法。
【請求項２１】
前記音声映像通話の前記映像部分へのアクセスを前記第２のユーザーに提供することが、前記第２のユーザーから認証要求を受け取ることと、前記第２のユーザーを認証することと、前記第２のユーザーが認証される場合、前記音声映像通話の前記映像部分を前記第２のユーザーにストリーミングすることを含む、請求項１４に記載の方法。
【請求項２２】
前記認証要求が、前記第２のユーザーに関連するユーザー識別子および前記第２のユーザーに関連するパスワードを含む、請求項２１に記載の方法。
【請求項２３】
前記第２のユーザーを認証することが、前記ユーザー識別子および前記パスワードを、前記第２のユーザーのユーザープロファイルに関連する情報と比較することを含む、請求項２２に記載の方法。
【請求項２４】
前記第１のユーザーの前記装置にはモバイル装置が含まれる、請求項１４に記載の方法。
【請求項２５】
前記音声映像通話の前記音声部分が、回線交換通信を経由して、前記音声システムに切り離して伝送される、請求項１４に記載の方法。
【請求項２６】
前記音声映像通話の前記音声部分を格納し、前記音声映像通話の前記音声部分へのアクセスを前記第２のユーザーに提供することをさらに含む、請求項１４に記載の方法。
【請求項２７】
第１のユーザーの装置と第２のユーザーの音声端末との間の回線交換接続によって少なくとも部分的に確立される音声映像（ＶＡＶ）通話の映像部分を関連させるための方法であって、
前記映像部分をパケットベース通信によって受け取ることと、
前記映像部分を格納済映像部分として格納することと、
前記格納済映像部分を前記第２のユーザーに関連させることと、
前記映像部分へのアクセスを前記第２のユーザーに提供すること
を含む、方法。
【請求項２８】
前記音声映像通話の前記映像部分へのアクセスを前記第２のユーザーに提供することが、前記第２のユーザーにメッセージを送ることを含む、請求項２７に記載の方法。
【請求項２９】
前記メッセージが、電子メール、インスタントメッセージング（ＩＭ）、ショートメッセージサービス（ＳＭＳ）、およびマルチメディアメッセージングサービス（ＭＭＳ）のうちの少なくとも１つによって送られる、請求項２８に記載の方法。
【請求項３０】
前記音声映像通話の前記映像部分が、前記メッセージ内に埋め込まれる、請求項２８に記載の方法。
【発明の詳細な説明】
【技術分野】
【０００１】
本開示は、映像を共有することに関し、具体的には、ウェブセッションにより音声映像通話の映像部分にアクセスできるようにすることに関する。
【背景技術】
【０００２】
現代の多くの携帯電話は、映像コンテンツを捕捉し、他の互換性のある電話と映像コンテンツを共有することができ、その電話は映像コンテンツの共有をサポートするサービスに加入する。映像コンテンツを共有することはますます望ましくなっているが、現在、映像を使用可能なユーザー（例えばセッション開始プロトコル（ＳＩＰ）ユーザーや携帯電話ユーザー）が、音声限定ユーザーに映像メッセージを残すための便利な方法は存在しない。例えば、モバイルユーザー（ユーザーＡ）が、友人（ユーザーＢ）に発呼してユーザーＡが見たものを共有する。ユーザーＡの発呼時にユーザーＢが不在であり、ユーザーＢのボイスメールが応答する場合、ユーザーＡは音声メディアだけにしかメッセージを残すことができないように制約される。映像コンテンツを共有する明らかな願望、およびそれを行う能力が限られている場合、ユーザーが自身の電話の映像コンテンツを、映像対応ボイスメールシステムを有さないユーザー、または互換性のある映像共有サービスに加入していないユーザーと共有できるようにするための効果的かつ効率的な技法が求められている。
【発明の概要】
【０００３】
映像対応ユーザー（ユーザーＡ）が、音声メディアサポートしか有さない受話者（ユーザーＢ）に発呼する通信環境では、ユーザーＡに関連するサービスノードがユーザーＡからの映像メディアを記録する。後になって、ユーザーＢは、ウェブポータルを介してそのサービスノードにアクセスし、ユーザーＡからの記録済映像メディアを取得することができる。
【０００４】
例示的かつ非限定的な実施形態では、音声映像通話の映像部分へのアクセスを提供するための方法は、第１のユーザーの装置から生じた音声映像（ＶＡＶ）通話を受け取ることを含む。音声映像通話は、音声部分と映像部分とを含む。音声映像通話の音声部分は、第２のユーザーの音声端末に関連するボイスメールに伝送されるのに対し、音声映像通話の映像部分は格納される。その後、音声映像通話の映像部分へのアクセスが第２のユーザーに提供される。
【０００５】
もう１つの例示的かつ非限定的な実施形態では、音声映像通話の映像部分へのアクセスを提供するための方法は、第１のユーザーの装置から生じた音声映像通話を受け取ることを含む。音声映像通話は、音声部分と映像部分とを含み、音声映像通話の音声部分は、第２のユーザーの音声端末に関連するボイスメールに切り離して伝送される。音声映像通話の映像部分は格納され、音声映像通話の映像部分へのアクセスとともに第２のユーザーに提供される。
【０００６】
もう１つの例示的かつ非限定的な実施形態では、第１のユーザーの装置と第２のユーザーの音声端末との間の回線交換接続によって少なくとも部分的に確立される音声映像通話の映像部分を関連させるための方法が、音声映像通話の映像部分をパケットベース通信によって受け取ることと、音声映像通話の映像部分を格納済映像部分として格納することを含む。その後、格納済映像部分が第２のユーザーに関連付けられ、音声映像通話の映像部分へのアクセスが第２のユーザーに提供される。
【０００７】
当業者は、以下の詳細な説明を添付図面と併せて読んだ後、本発明の範囲を理解し、そのさらなる態様に気付かれるであろう。
【０００８】
本明細書に組み込まれ、その一部を形成する添付図面は本発明のいくつかの態様を図示し、説明とともに本発明の原理を説明する役目を果たす。
【図面の簡単な説明】
【０００９】
【図１】本開示の一実施形態による通信環境のブロック図である。
【図２Ａ】本開示の一実施形態による例示的通信フローを示す。
【図２Ｂ】本開示の一実施形態による例示的通信フローを示す。
【図３】本開示の代替的実施形態による通信環境のブロック図を示す。
【図４】本開示の一実施形態によるサービスノードのブロック図である。
【図５】本開示の一実施形態によるコンピューティング装置（または音声端末）のブロック図である。
【発明を実施するための形態】
【００１０】
【００１１】
【００１２】
【００１３】
【００１４】
以下に記載する実施形態は、当業者が本発明を実施できるようにするのに必要な情報を示し、本発明を実施する最良の形態を示す。添付図面に照らして以下の説明を読んだとき、当業者は本発明の概念を理解し、本明細書に詳しく述べられてはいない、それらの概念の応用例を認識されよう。それらの概念および応用例は、本開示の範囲および添付の特許請求の範囲に含まれることを理解すべきである。
【００１５】
例示的かつ非限定的な一実施形態では、音声映像（ＶＡＶ）通話の映像部分へのアクセスを提供するための方法は、第１のユーザーの装置から生じた音声映像通話を受け取ることを含む。音声映像通話は、音声部分と映像部分とを含む。音声映像通話の音声部分は、第２のユーザーの音声端末に関連するボイスメールに伝送されるのに対し、音声映像通話の映像部分は格納される。その後、音声映像通話の映像部分へのアクセスが第２のユーザーに提供される。このようにして、音声映像通話の映像部分を実時間で受け取ることができない第２のユーザーは、ウェブブラウザーなどによって、音声映像通話の映像部分を受け取る機会を後で与えられる。
【００１６】
選択実施形態の詳細を探る前に、例示的通信環境１０の全体像を図１に関して示す。概して、モバイル装置１４、音声端末１６、および音声端末１６または別個のコンピューティング装置１９上に備えることができるウェブブラウザー１８間の通信を助けるために、サービスノード１２を設ける。とりわけ、様々な端末および装置１４、１６、１８、１９は、有線または無線電話、パーソナルコンピュータ、携帯情報端末等が含まれる事実上どんな形態を取ってもよい。この説明および添付の特許請求の範囲の中でこれらの端末に与えるラベルは、専ら読み易さを高め、各端末を別々に識別するために使用する。そのため、端末（１４、１６、１８、１９）のどれもが、音声を含む、限られたまたは全てのマルチメディアアプリケーションおよび通信をサポートすることができる。あるいは、パケット交換接続または回線交換接続により、音声端末１６が主に音声通信アプリケーションをサポートしてもよい。
【００１７】
概して、本発明の一実施形態は、モバイル装置１４に関連する第１のモバイルユーザーが、モバイル装置１４から、一般に第２のユーザーに関連し、または具体的には音声端末１６に関連する通信アドレスを使用する第２のユーザーに向けて音声映像通話を発信することを可能にする。本明細書で使用するとき、「ユーザーＡ」は、別のユーザーに関連する別の装置への通信の開始者として行動する、モバイル装置１４などの第１のユーザー装置のユーザーを指す。さらに、「ユーザーＢ」は、ユーザーＡからの通信の予定受信者でもある、音声端末１６および／またはコンピューティング装置１９などの第２の装置のユーザーを指す。その結果、適切な場合、用語「ユーザーＡ」は「モバイル装置１４のユーザー」と同義で用いることができ、「ユーザーＢ」は「音声端末１６のユーザー」と同義で用いることができる。通信環境１０の動作を全体的に説明する以下の解説の中では、様々なステップ記号表示（例えば「ステップ１００」）を示す。本明細書の中で言及するこれらのステップ記号表示は、本明細書の中で説明する情報の流れを大まかに示すことを目的とし、要素番号として図中に示し、各要素はステップ記号表示に関連する。例えば、図１の要素番号「１００」は、以下で説明する「ステップ１００」に関連する。
【００１８】
例示的かつ非限定的な一実施形態によれば、モバイル装置１４は、ＧＳＭＡ（Ｇｌｏｂａｌ  Ｓｙｓｔｅｍ  ｆｏｒ  Ｍｏｂｉｌｅ  Ｃｏｍｍｕｎｉｃａｔｉｏｎｓ  Ａｓｓｏｃｉａｔｉｏｎ）映像共有機能に対応している。通信アドレスは、加入者電話番号、またはセッション開始プロトコル（ＳＩＰ）のユニフォームリソースロケーター（ＵＲＬ）などのパケット通信アドレスとすることができる。音声映像通話が宛てられた通信アドレスまたは端末が、音声映像通話の映像部分をサポートできない場合、その音声映像通話は、処理するためにサービスノード１２にルートされる。図１の実施形態では、モバイル装置１４は、サービスノード１２へのアクセスを提供する、ＩＰマルチメディアサブシステム（ＩＭＳ）ネットワーク２０を介してサービス提供される。
【００１９】
この例では、音声映像通話が、音声映像通話の映像部分をサポートできない音声端末１６に宛てられると仮定されたい。図示のように、音声映像通話は、移動交換センター（ＭＳＣ）２２および公衆交換電話網（ＰＳＴＮ）２４を介して音声端末１６に導くことができる（ステップ１００）。図示のように、音声端末１６に関連するユーザーは音声映像通話に出ることができず、その結果、音声映像通話の音声部分がボイスメール２６に宛てられる（ステップ１０２）。一例示的実施形態によれば、モバイル装置１４は同時に、音声映像通話の映像部分を含む通話を、サービスノード１２を相手に開始する（ステップ１０４）。モバイル装置１４からの通話要求をサービスノード１２が受け取ると、サービスノード１２は、音声映像通話の映像部分をＩＭＳネットワーク２０を介してサービスノード１２に関連する記録ポートに送るよう、モバイル装置１４に指示する（ステップ１０６）。一例示的実施形態では、サービスノード１２は、サービスノード１２に関連する記録ポート上に格納するために音声映像通話の音声部分も送るよう、モバイル装置１４に要求することができる（ステップ１０８）。
【００２０】
音声映像通話のストリーミング映像部分およびオプションの音声メディア部分を受け取り、記録した後、サービスノード１２は、音声端末１６のユーザーがメディアコンテンツを後で安全に取得できるようにするために、記録済メディア部分をユニークな識別子に関連させるように動作する。例えば、メディア部分を格納し、音声端末１６の電話番号および／または音声端末１６のユーザーのユーザー識別子に関連させることができ、メディア部分にアクセスするには電話番号およびユーザー識別子を提供することが必要である。音声端末１６のユーザーが通信環境１０に登録されており、または他の方法で知られている場合、サービスノード１２は、サービスノード１２上に格納され、ボイスメール２６上に格納された音声部分を含む同一の音声映像通話に関連するメディアの存在を気付かせるメッセージを音声端末１６のユーザーに送ることができる（ステップ１１０）。ユーザーにメッセージを送るために使用される通知方式には、例えば電子メール、インスタントメッセージング（ＩＭ）、ショートメッセージサービス（ＳＭＳ）、マルチメディアメッセージングサービス（ＭＭＳ）等が含まれ得る。一例示的実施形態では、および以下でより完全に説明するように、メッセージが、サービスノード１２上に格納されたメディア部分にアクセスするためのユニークなＵＲＬを含む。別の例示的実施形態では、サービスノード１２上に格納され、ユーザーＢへの音声映像通話に関連するメディアをメッセージ内に埋め込み、または他の方法で含めることができる。
【００２１】
ある時点で、音声端末１６のユーザーは、ボイスメール２６上にボイスメールメッセージがあるという通知を受け取る。一例示的実施形態では、音声映像通話を発呼するユーザーは、音声映像通話の映像部分がサービスノード１２に格納されており、サービスノードのインターネットポータルにアクセスすることにより、インターネット２８を介して取得可能であることを、ボイスメール２６上に格納されたボイスメールメッセージ内で知らせる（ステップ１１２）。代替的実施形態では、上述のユニークなＵＲＬを含むメッセージにより、サービスノード１２に格納された音声映像通話の映像部分の存在を音声端末１６のユーザーに気付かせる。
【００２２】
次に、音声端末１６のユーザーが、コンピューティング装置１９を操作することにより、サービスノード１２のウェブポータルにアクセスする（ステップ１１４）。一例示的実施形態では、音声端末１６のユーザーは、コンピューティング装置１９を操作して、サービスノード１２をコンピューティング装置１９に通信可能に結合するインターネット２８経由でサービスノード１２のウェブポータルにアクセスする。そのアクセスが、初めてユーザーがサービスノード１２の映像および／または音声メディアにアクセスしようと試みたものである場合、ユーザーは通信環境１０内でアカウントを作成するように要求される場合がある。具体的には、ユーザーはインターネット２８を介してサービスノード１２と通信してアカウントを確立するように要求され得る。一例示的実施形態では、アカウントを確立することには、ユーザー識別子を選択すること、音声端末１６の電話番号など、電話番号を入力すること、および電話番号を検証することが含まれる。電話番号の検証は、これだけに限定されないが、サービスノード１２が音声端末１６における音声端末１６のユーザーに発呼することが含まれる、様々な方法によって行うことができる。一例示的実施形態では、アカウントはサービスノード１２に格納され、またはサービスノード１２にとってアクセス可能であり、アカウントが作成されたユーザーに関連するユーザープロファイルデータを含む。アカウントが作成されると、ユーザーによるサービスノード１２上の音声メディアのその後のアクセスは、単にユーザーがユーザー識別子を使用してログインすることを必要とする。
【００２３】
コンピューティング装置１９からサービスノード１２にアクセスすると、ユーザーは、サービスノードの記録ポート内に格納されるユーザーＡからのユニークなメッセージにそれぞれ対応する、１つまたは複数の記録を受け取る。これらの記録は、ユーザーＢが選択を行うために、ウェブブラウザー１８などのグラフィカルユーザーインターフェイス（ＧＵＩ）上に表示される（ステップ１１６）。図示のように、混乱を避け、通信環境１０の動作を明確に示すために、コンピューティング装置１９の一部として示し、サービスノード１２からメッセージを受け取る脈絡で説明するウェブブラウザー１８の動作とは別に、サービスノード１２のメディアにアクセスするときのウェブブラウザー１８の動作をより詳細に図示する。選択されると、選択された記録に関連する映像メディアおよび／または音声メディアを識別するサービスノード１２にインターネット２８経由でメッセージが送られ、サービスノード１２は続いて、選択されたメディアをウェブブラウザー１８にストリーミングする。
【００２４】
図２Ａおよび図２Ｂに関し、第２のユーザーがコンピューティング装置１９を使用して音声映像通話の映像部分にアクセスすることを可能にするための例示的シナリオを示す通信フローを示す。この通信フローが本明細書に開示する一実施形態による例示的シナリオに過ぎず、通信フロー内に示す側面および要素は、本発明を実施するために全てが必要とみなされるわけではないことを当業者なら理解されよう。とりわけこの通信フローは、本明細書に開示する実施形態の中心概念にとって補足的な数多くのオプションの側面および特徴を示すことを目的とする。このシナリオでは、第２のユーザーまたは音声端末１６が加入者電話番号ＤＮ２に関連するのに対し、第１のユーザーまたはモバイル装置１４は加入者電話番号ＤＮ１に関連すると仮定されたい。
【００２５】
ある時点で、第１のユーザーは、加入者電話番号ＤＮ１を使用してモバイル装置１４から音声映像通話を発呼することに決める。したがって、第１のユーザーは、音声映像通話をかけるようにモバイル装置１４に指示し、その結果、モバイル装置１４は加入者電話番号ＤＮ２に向けて音声映像通話を発呼する（ステップ２００）。具体的には、モバイル装置１４は、音声映像通話をＭＳＣ２２に宛てる。ＭＳＣ２２において受け取られると、ＩＳＵＰ  ＩＡＭメッセージによって示すように音声映像通話がＰＳＴＮ２４内でセットアップされる（ステップ２０２）。メッセージはＰＳＴＮ２４から、呼出音が鳴る音声端末１６まで進む（ステップ２０４）。図示の例示的実施形態では、ユーザーＢが音声端末１６に出ることができない場合、ＰＳＴＮ２４は時間切れと判定し（ステップ２０６）、音声映像通話をボイスメール２６に転送する（ステップ２０８）。
【００２６】
音声映像通話を受け取ることに応答し、ボイスメール２６は、「ＩＳＵＰ応答」を示すメッセージでＰＳＴＮ２４に応答する（ステップ２１０）。ＰＳＴＮ２４も同様に進め、ボイスメール２６による応答をＭＳＣ２２に知らせる（ステップ２１２）。それを受けて、ＭＳＣ２２は、モバイル装置１４と通信してボイスメール２６と接続したことを知らせる（ステップ２１４）。モバイル装置１４は、音声映像通話の音声部分を、ボイスメール２６において記録するために、続けてボイスメール２６に伝送する（ステップ２１６）。
【００２７】
図示の例示的実施形態では、モバイル装置１４とサービスノード１２との間の映像セッションのシグナリングおよび制御にＳＩＰを使用すると仮定するが、他のセッションシグナリングプロトコルを使用してもよいことを当業者なら理解されよう。
【００２８】
上記で論じたステップ２００−２１６の後に起こるものとして図示するが、上記で述べたように、音声映像通話の映像部分および／または音声部分をサービスノード１２の記録ポート上に記録することは、音声映像通話の音声部分をボイスメール２６に伝送することと平行して行ってもよい。音声映像通話を発呼するために、モバイル装置１４は、加入者電話番号ＤＮ２を対象とするＳＩＰ  ｉｎｖｉｔｅをＩＭＳネットワーク２０経由で送る（ステップ２１８）。ＳＩＰ  ｉｎｖｉｔｅを受け取ると、ＩＭＳネットワーク２０は、加入者電話番号ＤＮ２には映像メディア機能がないことを突き止め、続けて音声映像通話をサービスノード１２にルートする（ステップ２２０）。ＩＭＳネットワーク２０は、続けて映像メディアデータが含まれていることを示すセッション記述プロトコル（ＳＤＰ）初期化パラメーター「映像」とともに、加入者電話番号ＤＮ１から加入者電話番号ＤＮ２への通話を知らせるＳＩＰ  ｉｎｖｉｔｅをサービスノード１２に送る（ステップ２２２）。サービスノード１２が音声映像通話を受け取ると、モバイル装置１４に知らされる。具体的には、サービスノード１２が、２００  ＯＫメッセージをＩＭＳネットワーク２０に（ステップ２２４）、さらにはモバイル装置１４に送り返す（ステップ２２６）。２００  ＯＫメッセージを受け取ると、モバイル装置１４は、サービスノード１２に関連する（単数または複数の）記録ポートにおいて記録するために（ステップ２３０）、音声映像通話の映像部分および／または音声部分をサービスノード１２に伝達する（ステップ２２８）。
【００２９】
音声映像通話の音声部分をボイスメール２６に伝送し（ステップ２１６）、音声映像通話の映像部分をサービスノード１２に伝送し終えた後（ステップ２２８）、モバイル装置１４は、続いてサービスノード１２に伝送するための（ステップ２３４）、サービスノード１２への音声メディアの伝送終了を示すＢＹＥをＩＭＳネットワーク２０に発行する（ステップ２３２）。ほぼ同時に、モバイル装置１４は、切断メッセージをＭＳＣ２２に発行する（ステップ２３６）。切断メッセージを受け取ると、ＭＳＣ２２は、ＩＳＵＰリリースをＰＳＴＮ２４に伝送する（ステップ２３８）。それに応答して、ＰＳＴＮ２４は、ＩＳＵＰリリースをボイスメール２６に伝送し（ステップ２４０）、受け取られるとモバイル装置１４とボイスメール２６との間の通信が終わる。したがって、図示のように、音声映像通話の映像部分および／または音声部分をモバイル装置１４からサービスノード１２に伝送すること、および音声映像通話の音声部分をボイスメール２６に伝送することがほぼ同時に平行して行われる一方で、各伝送の終了も同様にほぼ同時に行われる。
【００３０】
（ステップ２３４の後の）ある時点で、サービスノード１２が、音声映像通話の映像部分および／または音声部分を含む記録済メッセージを、加入者電話番号ＤＮ２に関連させるように動作する（ステップ２４２）。次に、サービスノード１２が、例えばユーザーＢの電子メールアドレスを含む、音声端末１６のユーザーに関連するプロファイル情報にアクセスする（ステップ２４４）。サービスノード１２は続けて、ユーザーＢのプロファイルから前に取得した電子メールアドレス情報を利用し、電子メールによってなど、ユーザーＢにメッセージを送る（ステップ２４６）。一例示的実施形態では、この電子メールメッセージは、ユーザーＢが音声映像通話の映像部分にアクセスできるユニークなＵＲＬを含む。別の例示的実施形態では、サービスノード１２上に格納され、ユーザーＢへの音声映像通話に関連するメディアを電子メール内に埋め込み、または他の方法で含めることができる。
【００３１】
ある時点で、ユーザーＢは、ボイスメール２６の、音声映像通話の音声部分にアクセスする（ステップ２４８）。上記で述べたように、音声映像通話の音声部分は、サービスノード１２に格納された映像部分の存在をユーザーＢに知らせることができる。一例示的実施形態では、ボイスメール２６上に記録されるメッセージは、メッセージの映像部分の存在を示す情報を提供する自動生成された部分と、その映像部分にアクセスできる場所および方法についての指示とを含むことができる。
【００３２】
ユーザーＢが音声映像通話の映像部分の位置を電子メールによって知らされる場合、ユーザーＢは、電子メールを取得し、含まれているユニークなＵＲＬを選択しまたは他の方法で入力する（ステップ２５０）。一例示的実施形態では、電子メールが、コンピューティング装置１９によって、より詳細にはウェブブラウザー１８によってアクセスされる。ウェブブラウザー１８は、ユーザーが音声映像通話の映像部分にアクセスするのを助ける映像アクセスページにアクセスするために使用するＵＲＬを識別する。この例では、ＵＲＬが電子メールによりユーザーＢに与えられると仮定し、ユーザーＢはそのＵＲＬをウェブブラウザー１８内に入力し、ウェブブラウザー１８はその後、そのＵＲＬを使用して映像アクセスページ要求をサービスノード１２に送る（ステップ２５２）。
【００３３】
映像アクセスページ要求を受け取ると、サービスノード１２は、コンピューティング装置１９におけるユーザーＢに認証要求を送る（ステップ２５４）。認証要求を受け取ることに応答し、ユーザーＢは、例えばユーザー識別子やパスワードなどの認証情報を含むメッセージによりサービスノード１２に応答する（ステップ２５６）。サービスノード１２が受け取ると、サービスノード１２は、その認証情報をユーザーＢのプロファイルと比較し、ユーザーＢが、音声映像通話の映像部分が目的とする当事者かどうかを判定する。ユーザーＢがサービスノード１２によって認証されたと仮定し、インターネットサーバーとして働くサービスノード１２は、ユーザーＢがウェブブラウザー１８上で閲覧するために、音声映像通話の映像部分および／または音声部分をコンピューティング装置１９にストリーミングし始める（ステップ２５８）。
【００３４】
図３を参照し、図１のシナリオと似ているが、音声端末１６への回線接続がない、全てのパケットベース通信にユーザーＡが関与する例示的シナリオを示す、通信環境１０の図を示す。図示の実施形態では、ユーザーＡがコンピューティング装置１９［１］上で実行されるマルチメディアＳＩＰクライアントを操作するのに対し、ユーザーＢは、コンピューティング装置１９［２］によりサービスノード１２のデータにアクセスすることができる。
【００３５】
この例では、コンピューティング装置１９［１］におけるユーザーＡが、音声端末１６（ＤＮ２）におけるユーザーＢに対して音声映像通話を発呼する。音声端末１６は、ＰＳＴＮ２４に結合されるが、ＩＭＳネットワーク２０には通信可能に結合されないので、音声映像通話はサービスノード１２にルートされる（ステップ３００）。サービスノード１２は、たとえ音声端末１６が音声メディアデータしかサポートできなくても、音声メディアおよび映像メディアの両方を受信できることをコンピューティング装置１９［１］に応答する（ステップ３０２）。任意選択的に、サービスノード１２は、サービスノード１２において映像メディアの記録が可能であることをコンピューティング装置１９［１］にさらに知らせることができる。サービスノード１２は続いて、加入者電話番号ＤＮ２におけるユーザーＢに対し、ＰＳＴＮ２４経由で音声だけの通話を発呼する（ステップ３０４）。図示の実施形態ではユーザーＢが通話に出ず、ＰＳＴＮ２４は、通話が記録されるボイスメール２６に通話を導く。ボイスメール２６は音声映像通話の音声部分だけを記録するので、サービスノード１２は、サービスノード１２の記録ポートにおいて音声映像通話の映像メディアおよび／または音声部分を平行してバッファし、記録する（ステップ３０６）。一例示的実施形態では、音声端末１６への通話が、ボイスメール２６上に音声映像通話の音声部分を記録することしかもたらさないと判定される場合、コンピューティング装置１９［１］は、音声端末１６へのＰＳＴＮ２４経由の通話レグを切断し、サービスノード１２の記録ポートにおいて音声映像通話の映像部分および／または音声部分をバッファし、記録し続けるようサービスノード１２に指示することができる（ステップ３０８）。
【００３６】
音声映像通話のストリーミング映像およびオプションの音声メディア部分を受け取り、記録した後、サービスノード１２は、音声端末１６のユーザーがメディアコンテンツを後で安全に取得できるようにするために、記録済メディア部分をユニークな識別子に関連させるように動作する（ステップ３１０）。例えば、メディア部分を格納し、音声端末１６の電話番号および／または音声端末１６のユーザーのユーザー識別子に関連させることができ、メディア部分にアクセスするには電話番号およびユーザー識別子を提供することが必要である。音声端末１６のユーザーが通信環境１０に登録されており、または他の方法で知られている場合、サービスノード１２は、サービスノード１２上に格納され、ボイスメール２６上に格納された音声部分を含む同一の音声映像通話に関連するメディアの存在を気付かせるメッセージを音声端末１６のユーザーに送ることができる（ステップ３１２）。ユーザーにメッセージを送るために使用される通知方式には、例えば電子メール、ＩＭ、ＳＭＳ、ＭＭＳ等が含まれ得る。一例示的実施形態では、および以下でより完全に説明するように、メッセージが、サービスノード１２上に格納されたメディア部分にアクセスするためのユニークなＵＲＬを含む。別の例示的実施形態では、サービスノード１２上に格納され、ユーザーＢへの音声映像通話に関連するメディアをメッセージ内に埋め込み、または他の方法で含めることができる。
【００３７】
ある時点で、音声端末１６のユーザーは、ボイスメール２６上にボイスメールメッセージがあるという通知を受け取る。一例示的実施形態では、音声映像通話を発呼するユーザーは、音声映像通話の映像部分がサービスノード１２に格納されており、サービスノードのインターネットポータルにアクセスすることにより、インターネット２８を介して取得可能であることを、ボイスメール２６上に格納されたボイスメールメッセージ内で知らせる（ステップ３１４）。代替的実施形態では、上述のユニークなＵＲＬを含むメッセージにより、サービスノード１２に格納された映像メディアの存在を音声端末１６のユーザーに気付かせる。
【００３８】
次に、音声端末１６のユーザーが、コンピューティング装置１９を操作することにより、サービスノード１２のウェブポータルにアクセスする（ステップ３１６）。一例示的実施形態では、音声端末１６のユーザーは、サービスノード１２をコンピューティング装置１９に通信可能に結合するインターネット２８経由でサービスノード１２のウェブポータルにアクセスする。そのアクセスが、初めてユーザーがサービスノード１２の音声メディアにアクセスしようと試みたものである場合、ユーザーは通信環境１０内でアカウントを作成するように要求される場合がある。具体的には、ユーザーはインターネット２８を介してサービスノード１２と通信してアカウントを確立するように要求され得る。一例示的実施形態では、アカウントを確立することには、ユーザー識別子を選択すること、音声端末１６の電話番号など、電話番号を入力すること、および電話番号を検証することが含まれる。電話番号の検証は、これだけに限定されないが、サービスノード１２が音声端末１６における音声端末１６のユーザーに発呼することが含まれる、様々な方法によって行うことができる。アカウントが作成されると、ユーザーによるサービスノード１２上の音声メディアのその後のアクセスは、単にユーザーがユーザー識別子を使用してログインすることを必要とする。
【００３９】
コンピューティング装置１９からサービスノード１２にアクセスすると、ユーザーは、サービスノードの記録ポート内に格納されるユーザーＡからのユニークなメッセージにそれぞれ対応する、１つまたは複数の記録を受け取る。これらの記録は、ユーザーＢが選択を行うために、ウェブブラウザー１８などのＧＵＩ上に表示される。選択されると、選択された記録に関連する映像メディアおよび／または音声メディアを識別するサービスノード１２にインターネット２８経由でメッセージが送られ、サービスノード１２は続いて、選択されたメディアをウェブブラウザー１８にストリーミングする。（ステップ３１８）
【００４０】
説明した実施形態ではユーザーＢが電話に出られず、ボイスメールシステムが通話に応答すると仮定するが、これは必須のステップではない。代わりにユーザーＢは、ＰＳＴＮまたは等価の音声システムによる通話に出て、映像をサービスノード１２内に記録しながらユーザーＡと話してもよい。その後、ユーザーＢはウェブブラウザー１８によりサービスノードにアクセスし、記録された映像を見ることができる。
【００４１】
図４を参照し、一実施形態によるサービスノード１２のブロック図を示す。サービスノード１２は、必要なソフトウェア３４およびデータ３６が上記のように動作するのに十分なメモリ３２を有する、制御システム３０を含むことができる。ソフトウェア３４は、上記に記載した通信機能、ウェブサーバ機能、および網間接続機能を提供することができる。制御システム３０は、通信環境１０内に示す様々なエンティティ、ならびに本発明を実施する間に使用される他の任意のエンティティとの通信を助ける１つまたは複数の通信インターフェイス３８に関連することもできる。
【００４２】
図５を参照し、コンピューティング装置１９（または音声端末１６）のブロック図を示す。コンピューティング装置１９は、電話、パーソナルコンピュータ等に相当することができ、必要なソフトウェア４４およびデータ４６が上記のように動作するのに十分なメモリ４２を有する、制御システム４０を含むことができる。制御システム４０は、上記に記載したように通信を助ける１つまたは複数の通信インターフェイス４８、ならびにユーザインターフェイス５０に関連することができる。ユーザインターフェイス５０には、キーパッド、マウス、タッチスクリーン、マイクロフォンなどの入力装置、ならびにスピーカ、ディスプレイ等が含まれる１つまたは複数の出力機構が含まれ得る。
【００４３】
当業者は、本発明の実施形態に対する改善および修正に気付くであろう。かかる全ての改善および修正は、本明細書および添付の特許請求の範囲に開示する概念の範囲に含まれるものとみなす。
【図１】
2013539625.tif 000003
【図２Ａ】
2013539625.tif 000004
【図２Ｂ】
2013539625.tif 000005
【図３】
2013539625.tif 000006
【図４】
2013539625.tif 000007
【図５】
2013539625.tif 000008
【国際調査報告】
2013539625.tif 000009
2013539625.tif 000010